(57)【要約】【課題】  原子力発電所・ＲＩ施設の放射線管理区域を設定する時に使用する放管器材をダンボール、プレス紙等の可燃物で製作し、使用後はこれを可燃物として全て焼却処分することができる使い捨て型の放管器材を提供する。【解決手段】  原子力発電所・ＲＩ施設の可燃性放射線管理器材を一枚の可燃性板状材料を型抜きして、放射線管理器材の展開体を予め作成し、この展開体を使用現場にて組立て、立体型に構成し使用できるようにした。【選択図】      図１
2006214852.tif 000002
【特許請求の範囲】
【請求項１】
一枚の可燃性板状材料を型抜きして、放射線管理器材の展開体を予め作成し、前記展開体を使用現場にて組立て、立体型に構成し使用できるようにしたことを特徴とする原子力発電所・ＲＩ施設の可燃性放射線管理器材。
【請求項２】
前記可燃性板状材料が段ボール、プレス紙等の紙製可燃物であって、使用後可燃物として焼却処理可能であることを特徴とする請求項１記載の原子力発電所・ＲＩ施設の可燃性放射線管理器材。
【請求項３】
前記放射線管理器材が縦断面形状が台形をなしたバリアであって、
該バリアの展開体は、頂面部と、前後一対の側面部と、底面部と、左右一対の端面部の６面と、立体構成を補強する側部補強リブ及び内部補強リブとで構成され、
前記頂面部は細幅の横長長方形をなし、
前記側面部は、前記頂面部より広幅かつ前記頂面部と同一長さで、前記頂面部に対し谷折り線を介しこれと平行に連接されており、
前記底面部は、前記一対の側面部のうちの一方の側面部に対し谷折り線を介しこれと平行に連接されており、
前記端面部は、一対の側面部のうちの一方の側面部の両側端に谷折り線を介し連接されており、
前記側部補強リブは、前記一対の側面部のうちのもう一方の側面部の両側端に谷折り線を介し連接され、組立てたとき前記端面部の内側に丁度重なる形状をなしており、
前記内部補強リブは、前記側部補強リブを備えた側面部に対し谷折り線を介しこれと平行に連接され、その両側に谷折り線を介し連接され、バリアの縦断面形状と略等しい形状の台形部を有している請求項１記載の原子力発電所・ＲＩ施設の可燃性管理器材。
【請求項４】
前記側部補強リブは、その端部に固定耳を有し、
前記端面部の基部に前記側部補強リブの端部に設けた固定耳に対応する固定耳差込み穴を有し、
前記内部補強リブの両側に設けた台形部には、その斜辺部に一対の固定耳を有し、該一対の固定耳に対応し前記一対の側面部にはそれぞれ前記固定耳の差込み穴を有し、
さらに前記底面部にはその側部に固定耳を有し、該固定耳に対応し前記内部補強リブと側部補強リブを設けた側面部との境界部に固定耳の差し込み穴を有し、
前記各固定耳をそれぞれこれらに対応する差込み穴に差し込むことによってバリアの最終立体形状を保持するようにした請求項３記載の原子力発電所・ＲＩ施設の可燃性管理器材。
【請求項５】
前記放射線管理器材が防護具等の回収箱であって、該防護具等回収箱は回収箱本体と回収箱上蓋とからなり、
前記回収箱本体の展開体は、縦長長方形をした一対の広幅側胴部と、同じく縦長長方形をした一対の細幅側胴部と、前記各側胴部の下部に谷折り線を介し連接された底面部構成片とからなり、
前記一対の広幅側胴部の一方の側胴部には細幅側胴部の側辺に接着する接着代を有しており、
前記一対の広幅側胴部の一方の側胴部の下部に設けた底面部構成片は下方に向って細い台形をなし、その下端に固定耳を有しており、
前記一対の広幅側胴部の他方の側胴部の下部に設けた底面部構成片は略横長の長方形をなし、その下端に前記固定耳の係合凹部を有しており、
前記一対の細幅側胴部には略台形をなし互に対称構造をなす底面部構成片が設けられており、
前記回収箱上蓋の展開体は、長方形をなし中央部に投入口を有する中央天頂部と、天頂部の上下にあって２重谷折り線を介し１８０°折り曲げ可能な折り返し片を備えた上下一対の側枠部と、天頂部の左右にあって２重谷折り線を介し１８０°折り曲げ可能な折り返し片を備えた左右一対の側枠部とからなり、
前記各折り返し片の外側中央部に固定耳を有し、該固定耳に対応し中央天頂部の四周に固定耳の差込凹部を設けていることを特徴とする
請求項１記載の原子力発電所・ＲＩ施設の可燃性管理器材。
【発明の詳細な説明】
【技術分野】
【０００１】
本発明は、原子力発電所、ＲＩ施設等の放射線管理区域を設定するときに用いる放射線管理器材（以下、放管器材と略す）に関し、特に段ボール等の可燃性材料で造った紙製バリア及び紙製回収箱に関するものである。
【背景技術】
【０００２】
放管器材として、ステンレス製又は不燃建材製の区画用バリアは知られている（特許文献１参照。）。
これは、ステンレス材による溶接一体化構造をなし、内部に補強材を溶接で固着したもの、あるいはまた材料に建築材料として使われている不燃性壁用断熱ボードを用い接着剤で貼り合わせ積層して構成したものである。
【０００３】
このような従来の放管器材には、下記のような問題がった。
（１）放管器材返却のため、汚染の確認をし汚染があるとこれを除染しなければならなかったこと、
（２）放管器材は汚染防止と区域分けのため、白・黄・赤シートで養生しなければならなかったこと、
（３）放管器材は一体物であるので、これによって管理区域の保管場所を占有してしまうこと、
（４）鉄やアルミ製即ち金属製であるため、廃棄物量が増えること、
（５）サイズが決まっているので、区域場所によりうまく設置できないこと、
（６）そして、器材借用のための申請書類、借用・返却時の立会等の手間を要すること。等の問題があった。
【特許文献１】特開２００１−１７５５９号公報
【発明の開示】
【発明が解決しようとする課題】
【０００４】
原子力発電所・ＲＩ施設の放射線管理区域を設定する時に使用する放管器材をダンボール、プレス紙等の可燃物で製作し、使用後はこれを可燃物として全て焼却処分することができる使い捨て型の放管器材を提供することを課題とする。
【課題を解決するための手段】
【０００５】
原子力発電所・ＲＩ施設の可燃性放射線管理器材を一枚の可燃性板状材料を型抜きして、放射線管理器材の展開体を予め作成し、この展開体を使用現場にて組立て、立体型に構成し使用できるようにした。
そして前記可燃性板状材料は段ボール、プレス紙等の紙製可燃物であって、使用後可燃物として焼却処理可能である。
前記放射線管理器材が縦断面形状が台形をなしたバリアであって、このバリアの展開体は、頂面部と、前後一対の側面部と、底面部と、左右一対の端面部の６面と、立体構成を補強する側部補強リブ及び内部補強リブとで構成され、前記頂面部は細幅の横長長方形をなし、前記側面部は、前記頂面部より広幅かつ前記頂面部と同一長さで、前記頂面部に対し谷折り線を介しこれと平行に連接されており、前記底面部は、前記一対の側面部のうちの一方の側面部に対し谷折り線を介しこれと平行に連接されており、前記端面部は、一対の側面部のうちの一方の側面部の両側端に谷折り線を介し連接されており、前記側部補強リブは、前記一対の側面部のうちのもう一方の側面部の両側端に谷折り線を介し連接され、組立てたとき前記端面部の内側に丁度重なる形状をなしており、前記内部補強リブは、前記側部補強リブを備えた側面部に対し谷折り線を介しこれと平行に連接され、その両側に谷折り線を介し連接され、バリアの縦断面形状と略等しい形状の台形部を有している。
前記側部補強リブは、その端部に固定耳を有し、前記端面部の基部に前記側部補強リブの端部に設けた固定耳に対応する固定耳差込み穴を有し、前記内部補強リブの両側に設けた台形部には、その斜辺部に一対の固定耳を有し、該一対の固定耳に対応し前記一対の側面部にはそれぞれ前記固定耳の差込み穴を有し、さらに前記底面部にはその側部に固定耳を有し、該固定耳に対応し前記内部補強リブと側部補強リブを設けた側面部との境界部に固定耳の差し込み穴を有し、前記各固定耳をそれぞれこれらに対応する差込み穴に差し込むことによってバリアの最終立体形状を保持するようにした。
さらに、前記放射線管理器材が防護具回収箱であって、該防護具等回収箱は回収箱本体と、回収箱上蓋とからなり、
前記回収箱本体の展開体は、縦長長方形をした一対の広幅側胴部と、同じく縦長長方形をした一対の細幅側胴部と、前記各側胴部の下部に谷折り線を介し連接された底面部構成片とからなり、前記一対の広幅側胴部の一方の側胴部には細幅側胴部の側辺に接着する接着代を有しており、前記一対の広幅側胴部の一方の側胴部の下部に設けた底面部構成片は下方に向って細い台形をなし、その下端に固定耳を有しており、前記一対の広幅側胴部の他方の側胴部の下部に設けた底面部構成片は略横長の長方形をなし、その下端に前記固定耳の係合凹部を有しており、前記一対の細幅側胴部には略台形をなし互に対称構造をなす底面部構成片が設けられており、
前記回収箱上蓋の展開体は、長方形をなし中央部に投入口を有する中央天頂部と、天頂部の上下にあって２重谷折り線を介し１８０°折り曲げ可能な折り返し片を備えた上下一対の側枠部と、天頂部の左右にあって２重谷折り線を介し１８０°折り曲げ可能な折り返し片を備えた左右一対の側枠部とからなり、前記各折り返し片の外側中央部に固定耳を有し、該固定耳に対応し中央天頂部の四周に固定耳の差込凹部を設けている。
【発明の効果】
【０００６】
従来、作業終了後は汚染を確認サーベイし、汚染している場合にはこれを除染しなければならなかったが、本発明の放管器材はこれを焼却処分するので、除染の心配がなく簡便に活用することができる。
【０００７】
本発明の放管器材は段ボールでしかも１枚物を型抜きして製作するので、安価に提供できる。
【０００８】
従来バリアは設置場所に応じて大小のサイズがあったが、本発明のバリアは２箇所ミシン目を予め付けておくことで、設置サイズに合わせて適宜切断し、最適なサイズで使用することができる。
【０００９】
予め段ボールの表面を指定色に着色（白、黄、赤色に印刷）することで、管理区分の指定色に合わせたシートで養生することなく使用できる。また、シート等の廃棄物が発生しないという利点がある。
【００１０】
汚染した放管器材を除染する手間と、器材の貸し出し管理を実施していたが、これがないのでその分要員を削減することができる。
【００１１】
常に新品の製品を使用できるので、管理区域における保管場所を必要としなくなった。
【００１２】
組立前は、板状であるので保管場所を占有することなく、必要なとき必要だけ搬入し現場でこれを組立てて使用できる。
【発明を実施するための最良の形態】
【００１３】
本発明は、一枚の可燃性板状材料を型抜きして、放管器材の展開体を予め作成しておき、この展開体を使用現場で組立てて立体型に構成し、使用できるようにしたことを特徴とするものである。
【００１４】
図１（ａ）は放管器材の一例としてのバリアの展開体を示す。図１（ｂ）は完成したバリアの端面図、図１（ｃ）は図１（ｂ）の側面即ちバリアの正面図である。
【００１５】
図１（ａ）で、バリアの展開体Ａは段ボール又はプレス紙等の板状可燃物を型抜きしてつくられる。１１ａと１１ｂは６面よりなる縦断面台形をしたバリアの側面部、１２はバリアの底面部、１３はバリアの頂面部である。１４は内部補強リブで、一方の側面部１１ａの中央部にこれと平行に設けられている。
【００１６】
側面部１１ａと１１ｂは、横長長方形をなした頂面部１３とそれぞれ谷折り線１９を介しこれと連接されている。側面部１１ａの本体は横長の長方形をなしているが、その両側に側部補強リブ１５が設けられ、側部補強リブ１５の先端には組立後立体形状を保持する固定耳１６が設けられている。
【００１７】
頂面部１３と連接するもう一方の側面部１１ｂも広幅の横長長方形をなし、その両側に端面部１７が谷折り線を介し設けられている。側部補強リブ１５と端面部１７は図１の状態で上下略対称で、バリアの組立完成時におけるバリアの縦断面形状（図１（ｂ））と略同じである。
【００１８】
前記内部補強リブ１４の側端部１８も横向きの台形状をなし、これを谷折り線１９に沿って折り曲げると、バリアの内部に丁度嵌まる形状をなしている。２０ａ，２０ｂは左右側端部１８の斜面に設けた固定耳で、側面部１１ａと１１ｂにそれぞれ設けた固定耳の差込み穴２０'ａと２０'ｂにぞれ対応して設けられている。
【００１９】
前記側面部１１ｂの両側に設けた端面部１７の基部に設けた固定耳の差込み穴１６’は、もう一方の側面部１１ａに設けた側部補強リブ１５に設けた固定耳１６に対応するもので、ここに固定耳１６を差し込みバリアＡの立体形状を保持する。
【００２０】
なお、図中符号１９で示した点線の部分はすべて谷折り線である。２１は底面部１２に設けた固定耳で、これに対応して固定耳の差込み穴２１’が前記側面部１１ａに連接する内部補強リブ１４の谷折れ線１９の部分に設けられている。
【００２１】
図１で２点鎖線２２はミシン目で、後述するように、長さ調整の必要がある場合、このミシン目２２で例えば鋏によりカットし、長さの短いバリアとして使用する。
【００２２】
（バリアの製作手順）
図２を参照してバリアの製作手順を説明する（矢印は折曲方向を示す）。
１）図１または図３・（ｂ）に示すように例えばダンボールを素材として、バリア展開体Ａを型抜きする。
２）各谷折り線１９で、バリアを構成する６つの面部と補強リブを折り曲げる。
３）内部補強リブ１４の固定耳２０ａ，２０ｂをこれら固定耳の差込み穴２０'ａ，２０'ｂに差し込む。
４）側部補強リブ１５の先端にある固定耳１６を該固定耳の差込み穴１６’に差し込む。
５）底面部１２に設けた固定耳２１を固定耳差込み穴２１’に差し込む。
６）かくして、図１・（ｂ）と図１・（ｃ）あるいは図３・（ａ）に示す段ボール製のバリアが完成する。
７）なお短いバリアを必要とするときは、前記ミシン目２２（図１の２点鎖線２２）に沿って鋏で切断して使用する。
【００２３】
図４（ａ）に放管器材のもう１つの実施例として防護具等の回収箱の展開体Ｂを示す。又図４（ａ）は回収箱の展開体を、図４（ｂ）は回収箱組立時の製作手順説明図、図５（ａ）は上蓋の展開体Ｃの平面図、図５（ｂ）は同じく上蓋の組立手順説明図である。図６（ａ）は完成した上蓋の斜視図、図６（ｂ）は同じく展開体Ｃの斜視図である。図７（ａ）は回収箱に上蓋を被せた完成状態の斜視図、（ｂ）は同じく製作途上の底部斜視図である。なお図７（ａ）は実際に段ボールで作成した組立後の上蓋付回収箱の斜視図、図７（ｂ）は回収箱の底部組立中の斜め方向からみた斜視図である。
【００２４】
図４で、防護具等廃棄物の回収箱の展開体Ｂは一対の広幅側胴部３１ａ，３１ｂと、同じく一対の細幅側胴部３２ａ，３２ｂ及び各側胴部３１ａ，３１ｂ及び３２ａ，３２ｂの下部に谷折り線３３を介し連接されたそれぞれ対をなす底面部構成片３４ａ，３４ｂ及び３５ａ，３５ｂを備えている。３６は側胴部３１ａの側辺に設けた接着代である。３７は上蓋固定凸部で、上蓋を被せたとき（図７（ａ））、上蓋の側枠部がこれに接し、その摩擦で上蓋の抜けを防止する。
【００２５】
図４（ａ）で、３８は略台形をなす底面部構成片３４ａの下端に設けた固定耳、３９はもう一方の底面部構成片３４ｂの下端に設けた係合凹部で、これに前記固定耳３８を差し込んで底部を組立てる。
【００２６】
側胴部３２ａ，３２ｂの下端に略台形をなす底面部構成片３５ａ，３５ｂは互に対称構造をなし、図７（ｂ）に示すごとく、底面構成片３４ａを折り曲げ、次に底面部構成片３５ａと３５ｂを向い合せて折り曲げたのち、一方の底面構成片３４ａに設けた固定耳３８をもう一方の底面構成片３４ｂに設けた係合凹部３９に差し込むと、回収箱の底は完成する。
【００２７】
次に、以上説明した回収箱の上方に取付ける回収箱上蓋の展開体について図５を参照して説明する。
【００２８】
図５（ａ）は回収箱上蓋の展開体Ｃを示す。上蓋の展開体Ｃは長方形をなした中央天頂部４１の中央部に投入口４２を有している。中央天頂部４１の四周には上下一対の側枠部４３ａ，４３ｂと左右一対の側枠部４４ａ，４４ｂがそれぞれ谷折り線４５を介し連接されている。上下一対の側枠部４３ａ，４３ｂ及び左右一対の側枠部４４ａ，４４ｂは、それぞれその中央部に２重の谷折り線４６を介し１８０°折り曲げ可能な折返し片４７ａ，４７ｂ及び４７ｃ，４７ｄが設けられている。これらの折返し片４７ａ，４７ｂ及び４７ｃ，４７ｄはそれぞれその外側に固定耳４８を有し、これらの固定耳４８に対応して、固定耳の差込凹部４９が中央天頂部４１の四周に設けた谷折り線４５の中央部分に設けられている。なお５０は側枠部４３ａ，４３ｂ，４３ｃ，４３ｄの延長部である。
【００２９】
（回収箱の製作手順）
図４（ｂ）を参照して説明する。
１）谷折り線３３に沿って側胴部３１ａ，３１ｂを図４（ｂ）で矢印で示す如く折り曲げる。
２）接着代３６を折り曲げ側胴部３２ｂをこれに接着して角筒状にする。
３）対向する底面部構成片３５ａと同じく３５ｂを折り曲げる。
４）底面部構成片３４ａを折り曲げ、その固定耳３８を固定耳係合凹部３９に差し込んで底部を閉じる。
【００３０】
（回収箱上蓋の製作手順）
図５（ｂ）を参照して説明する。
１）図５（ｂ）で矢印にて示す如く、左右の折り返し片４７ｃと４７ｄを２重谷折り線に沿って１８０°折り返し、固定耳４８を差し込み穴４９に差し込む。
次に左右の側枠部４３ｃと４３ｄを９０°折り曲げると同時に上下の延長部５０を９０°折り曲げる。
そして、上下の折り返し片４７ａと４７ｂを１８０°折り曲げ、上下の側枠部４３ａと４３ｂ及び折り返し片４７ａと４７ｂとの間に前記９０°折り曲げた延長部５０を抱え込んで上下折り返し片４３ａ，４３ｂの固定耳４８を差込み片４９に差し込む。
【００３１】
２）かくして上蓋の側枠部に折り返し片が重なった厚手の側部を備えた上蓋が完成する。
（上蓋付回収箱の完成）
図７（ａ）に示すごとく、回収箱の上方に上蓋を被せる。このとき上蓋の側枠は２重に折り返されて部厚くなっているので、回収箱の上方部にしっかりと嵌る。この際図４に符号３７で示した上蓋取付凸部の存在で、上蓋は上方に抜けないようになっている。
かくして図７に示す如きスマートな蓋付回収箱が得られる。
【００３２】
使用時には図８に示すごとく、回収箱内に回収用袋５１を中に挿入して使用する。
【００３３】
図９に放管器材のもう１つの実施例として、蓋一体型の回収箱の展開体Ｄを示す。
【００３４】
展開体Ｄは、図４の上蓋がない場合の展開体Ｂに比べて、上部に一体の上蓋部を設けた他は同一である。
【００３５】
上蓋部は広幅側胴部３１ａと３１ｂの上部に点線で示した谷折り線を介して台形部６１が設けられ、その上に谷折り線を介し台形部６１と上下対称形の台形部６１’が設けられている。６２は台形部６１’の上部に設けた固定耳で、これに対応して広幅側胴部３１ａと台形部６１との境界部に差込み穴６３が設けられている。
【００３６】
細幅側胴部３２ａの上部には前記台形部６１と同一高さの横長長方形をした蓋枠部６４が谷折り部を介して設けられている。
【００３７】
（蓋一体形回収箱の組立手順）
（１）側胴部と底部は図４で説明した回収箱の組立てと同一の方法で行う。
（２）一体の上蓋部は、まず横長長方形の一対の蓋枠部６４を谷折り線に沿って９０°折り曲げる。
（３）次に上下対称の台形部６１と６１’の中間に設けた谷折り線に沿って１８０°折り曲げて密着させる。
（４）固定耳６２を差込み穴６３に差し込むと同時に、これを９０°折り曲げ、その両側部を前記長方形蓋枠部６４の側部に接着する…完成。
【図面の簡単な説明】
【００３８】
【図１】（ａ）はのバリア展開体、（ｂ）はバリアの端面図、（ｃ）は（ｂ）の右側面図。
【図２】バリアの組立手順説明図。
【図３】（ａ）は完成したバリアの斜視図、（ｂ）は同じく展開体の斜視図。
【図４】（ａ）は回収箱展開体、（ｂ）は回収箱組立手順説明図。
【図５】（ａ）は回収箱上蓋展開体、（ｂ）は回収箱上蓋組立手順説明図。
【図６】（ａ）は完成した回収箱上蓋の斜視図、（ｂ）は同じく上蓋の組立前の斜視図。
【図７】（ａ）は回収箱完成図、（ｂ）は回収箱底部の組立途中図。
【図８】回収箱の使用時の状態を示す図。
【図９】蓋一体型回収箱の展開図。
【符号の説明】
【００３９】
Ａ  バリア展開体                    Ｂ  回収箱の展開体
Ｃ  上蓋の展開体                    Ｄ  （蓋一体型回収箱の）展開体
11a,11b  側面部                     12  底面部
13  頂面部                          14  内部補強リブ
15  側部補強リブ                    16  固定耳
16'  （固定耳の）差込み穴           17  端面部
18  （内部補強リブの）側端部
19  谷折り線（すべてに共通に表示）  20a,20b  固定耳
20'a,20'b  （固定耳の）差込み穴     21  固定耳
21'  （固定耳の）差込み穴           22  （切断用）ミシン目
31a,31b  広幅側胴部                 32a,32b  細幅側胴部
33  谷折り線                        34a,34b,35a,35b  底面部構成片
36  接着代                          37  上蓋固定凸部
38  固定耳                          39  係合凹部
41  中央天頂部                      42  投入口
43a,43b,44a,44b  側枠部             45  谷折り線
46  二重谷折り線                    47a,47b,47c,47d  折返し片
48  固定耳                          49  差込穴
50  （左右側枠部の）延長部          51  回収用袋
61，61'  台形部                     62  固定耳
63  差込み穴                        64  蓋枠部
【図１】
2006214852.tif 000003
【図２】
2006214852.tif 000004
【図３】
2006214852.tif 000005
【図４】
2006214852.tif 000006
【図５】
2006214852.tif 000007
【図６】
2006214852.tif 000008
【図７】
2006214852.tif 000009
【図８】
2006214852.tif 000010
【図９】
2006214852.tif 000011